【手続補正書】
【提出日】平成15年8月7日(2003.8.7)
【手続補正１】
【補正対象書類名】明細書
【補正対象項目名】特許請求の範囲
【補正方法】変更
【補正の内容】
【特許請求の範囲】
【請求項１】
複数の針取付穴を設けた針ホルダを具え、針ホルダに装着される針の針位置を選択して異なる縫い目構成を縫成可能としたオーバロックミシンにおいて、当該ミシンで縫成可能な全ての縫い目構成の設定パターンデータと、標準糸調子データと補正糸調子データを記憶する記憶手段と、装着された針の針位置を検出し、針位置データを出力する針位置検出手段と、装着された針板を検出し、針板データを出力する針板検出手段と、所望の縫い目構成を選択する選択手段と、糸調子設定事項を設定入力する入力手段と、前記選択手段により選択された縫い目構成の設定パターンデータと標準糸調子データを前記記憶手段から読出し、読み出された設定パターンデータと前記針位置データ、針板データとを比較して、その整合性を判定し、その判定結果と設定パターンの表示情報を出力するとともに、糸調子設定事項の設定入力に対応して補正糸調子データを読み出し、標準糸調子データを補正して、必要な糸調子データを出力する制御手段と、前記制御手段の出力を受けて、前記判定結果と設定パターンとを表示する表示手段と、出力された糸調子データに対応して糸調子を設定する糸調子器とを備えたことを特徴とするオーバロックミシン。
【請求項２】
複数の針取付穴を設けた針ホルダを具え、針ホルダに装着される針の針位置を選択して異なる縫い目構成を縫成可能としたオーバロックミシンにおいて、当該ミシンで縫成可能な全ての縫い目構成の設定パターンデータと、標準糸調子データを記憶する記憶手段と、装着された針の針位置を検出し、針位置データを出力する針位置検出手段と、装着された針板を検出し、針板データを出力する針板検出手段と、所望の縫い目構成を選択する選択手段と、前記選択手段により選択された縫い目構成の設定パターンデータを前記記憶手段から読出し、読み出された設定パターンデータと前記針位置データ、針板データとを比較して、その整合性を判定し、その判定結果と設定パターンの表示情報を出力して、該判定結果と設定パターンとを表示する表示手段とを備えたことを特徴とするオーバロックミシン。
【請求項３】
複数の針取付穴を設けた針ホルダを具え、針ホルダに装着される針の針位置を選択して異なる縫い目構成を縫成可能としたオーバロックミシンにおいて、当該ミシンで縫成可能な全ての縫い目構成の設定パターンデータと、標準糸調子データを記憶する記憶手段と、装着された針の針位置を検出し、針位置データを出力する針位置検出手段と、装着された針板を検出し、針板データを出力する針板検出手段と、所望の縫い目構成を選択する選択手段と、糸調子設定事項を設定入力する入力手段と、前記選択手段により選択された縫い目構成の設定パターンデータと標準糸調子データを前記記憶手段から読出し、読み出された設定パターンデータと前記針位置データ、針板データとを比較して、その整合性を判定し、その判定結果と設定パターンの表示情報を出力するとともに、標準糸調子データを出力する制御手段と、該制御手段の出力を受けて、前記判定結果と設定パターンとを表示する表示手段とを備えたことを特徴とするオーバロックミシン。
【請求項４】
複数の針取付穴を設けた針ホルダを具え、針ホルダに装着される針の針位置を選択して異なる縫い目構成を縫成可能としたオーバロックミシンにおいて、当該ミシンで縫成可能な全ての縫い目構成の設定パターンデータと、標準糸調子データと補正糸調子データを記憶する記憶手段と、装着された針の針位置を検出し、針位置データを出力する針位置検出手段と、装着された針板を検出し、針板データを出力する針板検出手段と、所望の縫い目構成を選択する選択手段と、糸調子設定事項を設定入力する入力手段と、前記選択手段により選択された縫い目構成の設定パターンデータと標準糸調子データを前記記憶手段から読出し、読み出された設定パターンデータと前記針位置データ、針板データとを比較して、その整合性を判定し、その判定結果と設定パターンの表示情報を出力するとともに、糸調子設定事項の設定入力に対応して必要な糸調子データを出力する制御手段と、該制御手段の出力を受けて、前記判定結果と設定パターンとを表示する表示手段と、出力された糸調子データに対応して糸調子を設定する糸調子器とを備えたことを特徴とするオーバロックミシン。
【手続補正２】
【補正対象書類名】明細書
【補正対象項目名】０００６
【補正方法】変更
【補正の内容】
【０００６】
【課題を解決するための手段】
本発明は、複数の針取付穴を設けた針ホルダを具え、針ホルダに装着される針の針位置を選択して異なる縫い目構成を縫成可能としたオーバロックミシンにおいて、当該ミシンで縫成可能な全ての縫い目構成の設定パターンデータと、標準糸調子データと補正糸調子データを記憶する記憶手段と、装着された針の針位置を検出し、針位置データを出力する針位置検出手段と、装着された針板を検出し、針板データを出力する針板検出手段と、所望の縫い目構成を選択する選択手段と、糸調子設定事項を設定入力する入力手段と、前記選択手段により選択された縫い目構成の設定パターンデータと標準糸調子データを前記記憶手段から読出し、読み出された設定パターンデータと前記針位置データ、針板データとを比較して、その整合性を判定し、その判定結果と設定パターンの表示情報を出力するとともに、糸調子設定事項の設定入力に対応して補正糸調子データを読み出し、標準糸調子データを補正して、必要な糸調子データを出力する制御手段と、前記制御手段の出力を受けて、前記判定結果と設定パターンとを表示する表示手段と、出力された糸調子データに対応して糸調子を設定する糸調子器とを備えたことにより課題を解決することができた。
また、本発明は、複数の針取付穴を設けた針ホルダを具え、針ホルダに装着される針の針位置を選択して異なる縫い目構成を縫成可能としたオーバロックミシンにおいて、当該ミシンで縫成可能な全ての縫い目構成の設定パターンデータと、標準糸調子データを記憶する記憶手段と、装着された針の針位置を検出し、針位置データを出力する針位置検出手段と、装着された針板を検出し、針板データを出力する針板検出手段と、所望の縫い目構成を選択する選択手段と、前記選択手段により選択された縫い目構成の設定パターンデータを前記記憶手段から読出し、読み出された設定パターンデータと前記針位置データ、針板データとを比較して、その整合性を判定し、その判定結果と設定パターンの表示情報を出力して、該判定結果と設定パターンとを表示する表示手段とを備えたことにより課題を解決することができた。
さらに、本発明は、複数の針取付穴を設けた針ホルダを具え、針ホルダに装着される針の針位置を選択して異なる縫い目構成を縫成可能としたオーバロックミシンにおいて、当該ミシンで縫成可能な全ての縫い目構成の設定パターンデータと、標準糸調子データを記憶する記憶手段と、装着された針の針位置を検出し、針位置データを出力する針位置検出手段と、装着された針板を検出し、針板データを出力する針板検出手段と、所望の縫い目構成を選択する選択手段と、糸調子設定事項を設定入力する入力手段と、前記選択手段により選択された縫い目構成の設定パターンデータと標準糸調子データを前記記憶手段から読出し、読み出された設定パターンデータと前記針位置データ、針板データとを比較して、その整合性を判定し、その判定結果と設定パターンの表示情報を出力するとともに、標準糸調子データを出力する制御手段と、該制御手段の出力を受けて、前記判定結果と設定パターンとを表示する表示手段とを備えたことにより課題を解決することができた。
そして、本発明は、複数の針取付穴を設けた針ホルダを具え、針ホルダに装着される針の針位置を選択して異なる縫い目構成を縫成可能としたオーバロックミシンにおいて、当該ミシンで縫成可能な全ての縫い目構成の設定パターンデータと、標準糸調子データと補正糸調子データを記憶する記憶手段と、装着された針の針位置を検出し、針位置データを出力する針位置検出手段と、装着された針板を検出し、針板データを出力する針板検出手段と、所望の縫い目構成を選択する選択手段と、糸調子設定事項を設定入力する入力手段と、前記選択手段により選択された縫い目構成の設定パターンデータと標準糸調子データを前記記憶手段から読出し、読み出された設定パターンデータと前記針位置データ、針板データとを比較して、その整合性を判定し、その判定結果と設定パターンの表示情報を出力するとともに、糸調子設定事項の設定入力に対応して必要な糸調子データを出力する制御手段と、該制御手段の出力を受けて、前記判定結果と設定パターンとを表示する表示手段と、出力された糸調子データに対応して糸調子を設定する糸調子器とを備えたことにより課題を解決することができた。